(57)【要約】【課題】低コストで、わかりやすい形態の隠蔽ハガキを提供する。【解決手段】記入欄ａを設けたハガキ本体１１と、記入欄ａを隠蔽する隠蔽片１２と、隠蔽片１２の片面の略全面に設けられ、隠蔽片１２をハガキ本体１１に再剥離・再貼付可能に擬似接着する粘着剤層１４とを備え、隠蔽片１２は、ハガキ本体１１とは別体に設けられ、略中央にミシン目（折曲線）ｃが形成されている。そして、ハガキ本体１１の一辺１１ａに合致するようにミシン目ｃで２つ折りにし、その両側から挟み込むようにして貼り込めば、記入欄ａを隠蔽して、隠蔽ハガキ１０が完成する。【選択図】　　　　図１
2004090325.tif 000002
【特許請求の範囲】
【請求項１】
記入欄を設けたハガキ本体と、
前記記入欄を隠蔽する隠蔽片と、
前記隠蔽片の片面の略全面に設けられ、前記隠蔽片を前記ハガキ本体に再剥離・再貼付可能に擬似接着する粘着剤層とを備え、
前記隠蔽片は、前記ハガキ本体とは別体に設けられ、前記ハガキ本体の一辺に合致するように２つ折りにし、その両面を挟み込むようにしたこと
を特徴とする隠蔽ハガキ。
【請求項２】
記入欄を設けたハガキ本体と、
前記記入欄を隠蔽する隠蔽片と、
前記隠蔽片の片面の略全面に設けられ、前記隠蔽片を前記ハガキ本体に再剥離・再貼付可能に擬似接着する粘着剤層とを備え、
前記隠蔽片は、前記ハガキ本体の１辺又は２辺に連接され、前記ハガキ本体の両面を挟み込むようにしたこと
を特徴とする隠蔽ハガキ。
【請求項３】
ハガキ本体と、
前記ハガキ本体の１辺に連接され、そのハガキ本体の表面と同一面に記入欄を設けた記入片と、
前記ハガキ本体の他の１辺に連接され、前記記入欄を隠蔽する隠蔽片と、
前記隠蔽片の裏面の略全面に設けられ、前記隠蔽片を前記記入片の表面に再剥離・再貼付可能に擬似接着する粘着剤層と、
前記ハガキ本体又は前記記入片の裏面の略全面に設けられ、前記記入片の裏面と前記ハガキ本体の裏面とを貼付する第２の粘着剤層を備え、
前記記入片の両面を、前記ハガキ本体と前記隠蔽片とによって挟み込むようにしたこと
を特徴とする隠蔽ハガキ。
【請求項４】
請求項１から請求項３までのいずれか１項に記載の隠蔽ハガキにおいて、
前記隠蔽片は、略中央に折曲線が形成されていること
を特徴とする隠蔽ハガキ。
【請求項５】
請求項１から請求項４までのいずれか１項に記載の隠蔽ハガキにおいて、
前記隠蔽片は、その表裏面それぞれのサイズが、前記ハガキ本体よりも小さいこと
を特徴とする隠蔽ハガキ。
【請求項６】
請求項１から請求項５までのいずれか１項に記載の隠蔽ハガキにおいて、
前記ハガキ本体は、「郵便はがき」、「ＰＯＳＴ　ＣＡＲＤ」又は郵便ハガキである旨を記載したハガキ表示部を備え、
前記ハガキ表示部は、前記ハガキ本体が前記隠蔽片によって挟み込まれた後も外部から判読できるようにしたこと
を特徴とする隠蔽ハガキ。
【請求項７】
請求項１から請求項６までのいずれか１項に記載の隠蔽ハガキにおいて、
前記粘着剤層は、保護シートが貼り合せられており、
前記保護シートは、この隠蔽ハガキの使用方法が外側に印刷されていること
を特徴とする隠蔽ハガキ。
【発明の詳細な説明】
【０００１】
【発明の属する技術分野】
本発明は、口座振替等の申込書に好適に使用され、記載された情報を隠蔽可能な隠蔽ハガキに関するものである。
【０００２】
【従来の技術】申込書がハガキの場合に、申込内容が外部から容易に判読可能であり、申込者からすると、例えば、『クレジットカードＮｏ．　』や『暗証番号』を記載するのに気後れすることが少なくなかった。
【０００３】
このため、申込を必須とする場合などにおいては、「ハガキ」と比べて郵送料金の高い「封書」を採用することも多く、これが業者側の費用負担を増大させていた。
そこで、例えば、剥離可能な構造を有する特殊な隠蔽ラベル片で被覆する形態の隠蔽ハガキが多く使用されている。隠蔽ラベル片は、申込みハガキ本体の一部又は近傍に貼り込まれており、申込欄に記入してから貼り替えるようになっており、申込者としてはわかりやすく、使いやすいものであった。
【０００４】
図６は、隠蔽ハガキの従来例を示す模式図である。
従来例の隠蔽ハガキ６０は、図６（Ａ），（Ｂ）に示すように、ハガキ基材６１と、隠蔽ラベル片６２（６２Ａ，６２Ｂ）とを備えている。
ハガキ基材６１は、通常ハガキの略２倍のサイズで、ミシン目ｃで区画されるハガキ片６１ａとラベル貼付片６１ｂとからなり、ハガキ片６１ａの表面及び裏面に記入欄ａ，ｂを有している。隠蔽ラベル片６２Ａ，６２Ｂは、ハガキ片６１ａの記入欄ａ，ｂを隠蔽するためのものであり、ラベル貼付片６１ｂの表面及び裏面と裏面に予め貼付されている。
【０００５】
隠蔽ラベル片６２は、図６（Ｃ）に示すように、隠蔽ラベル片基材６３と、隠蔽ラベル片基材６３の片面に形成され、再剥離可能に擬似接着する擬似接着構造６４と、ハガキ基材６１の記入欄ａ，ｂに隠蔽ラベル片基材６３を粘着して隠蔽するための粘着層６５と、粘着層６５を保護する剥離紙６６と、この隠蔽ラベル片６７を予めラベル貼付片６１ｂに貼り付けておくための粘着層６７とを備えている。
この隠蔽ラベル片６２は、図６（Ｃ）に示すように、粘着層６５と剥離紙６６の間（矢印Ｃ）で剥がして、図６（Ｄ）に示すように、粘着層６５でハガキ片６１ａに貼り替え、記入欄ａ，ｂを隠蔽する。そして、擬似接着構造６４の間（矢印Ｄ）から剥がして、記入欄ａ，ｂを見る。
【０００６】
【発明が解決しようとする課題】
しかし、上述した従来の隠蔽ハガキは、以下のような問題があった。
（１）隠蔽ラベル片は、特殊な積層構造を有しているため、ラベル自体のコストが高く、例えば、ハガキ全面を貼り込むようにすると、それだけで大幅なコストアップとなり、あえてハガキを使用するメリットが薄れていく。
【０００７】
（２）隠蔽欄を大きく取りたい場合に、ハガキ本体の表裏面に記入欄を設けることが可能であるが、隠蔽ラベル片をハガキ本体の一部又は近傍に２枚貼り込んでおかなければならず、一般的な貼り込み用ラベラーでは、表裏面に貼り込むためには２回通しを行わなければならず、納期面やコスト面で問題を生じる。
また、２回貼り込む作業自体もわかりにくく、使い難さがある。
【０００８】
本発明の課題は、低コストで、わかりやすい形態の隠蔽ハガキを提供することである。
【０００９】
【課題を解決するための手段】
前記課題を解決するために、請求項１の発明は、記入欄を設けたハガキ本体と、前記記入欄を隠蔽する隠蔽片と、前記隠蔽片の片面の略全面に設けられ、前記隠蔽片を前記ハガキ本体に再剥離・再貼付可能に擬似接着する粘着剤層とを備え、前記隠蔽片は、前記ハガキ本体とは別体に設けられ、前記ハガキ本体の一辺に合致するように２つ折りにし、その両面から挟み込むようにしたことを特徴とする隠蔽ハガキである。
【００１０】
請求項２の発明は、記入欄を設けたハガキ本体と、前記記入欄を隠蔽する隠蔽片と、前記隠蔽片の片面の略全面に設けられ、前記隠蔽片を前記ハガキ本体に再剥離・再貼付可能に擬似接着する粘着剤層とを備え、前記隠蔽片は、前記ハガキ本体の１辺又は２辺に連接され、前記ハガキ本体の両面から挟み込むようにしたことを特徴とする隠蔽ハガキである。
【００１１】
請求項３の発明は、ハガキ本体と、前記ハガキ本体の１辺に連接され、そのハガキ本体の表面と同一面に記入欄を設けた記入片と、前記ハガキ本体の他の１辺に連接され、前記記入欄を隠蔽する隠蔽片と、前記隠蔽片の裏面の略全面に設けられ、前記隠蔽片を前記記入片の表面に再剥離・再貼付可能に擬似接着する粘着剤層と、前記ハガキ本体又は前記記入片の裏面の略全面に設けられ、前記記入片の裏面と前記ハガキ本体の裏面とを貼付する第２の粘着剤層を備え、前記記入片の両面を、前記ハガキ本体と前記隠蔽片とによって挟み込むようにしたことを特徴とする隠蔽ハガキである。
【００１２】
請求項４の発明は、請求項１から請求項３までのいずれか１項に記載の隠蔽ハガキにおいて、前記隠蔽片は、略中央に折曲線が形成されていることを特徴とする隠蔽ハガキである。
【００１３】
請求項５の発明は、請求項１から請求項４までのいずれか１項に記載の隠蔽ハガキにおいて、前記隠蔽片は、その表裏面それぞれのサイズが、前記ハガキ本体よりも小さいことを特徴とする隠蔽ハガキである。
【００１４】
請求項６の発明は、請求項１から請求項５までのいずれか１項に記載の隠蔽ハガキにおいて、前記ハガキ本体は、「郵便はがき」、「ＰＯＳＴ　ＣＡＲＤ」又は郵便ハガキである旨を記載したハガキ表示部を備え、前記ハガキ表示部は、前記ハガキ本体が前記隠蔽片によって挟み込まれた後も外部から判読できるようにしたことを特徴とする隠蔽ハガキである。
【００１５】
請求項７の発明は、請求項１から請求項６までのいずれか１項に記載の隠蔽ハガキにおいて、前記粘着剤層は、保護シートが貼り合せられており、前記保護シートは、この隠蔽ハガキの使用方法が外側に印刷されていることを特徴とする隠蔽ハガキである。
【００１６】
【発明の実施の形態】
以下、図面等を参照して、本発明の実施の形態について、さらに詳しくに説明する。
（第１実施形態）
図１は、本発明による隠蔽ハガキの第１実施形態を示す模式図である。
第１実施形態の隠蔽ハガキ１０は、記入欄ａを設けたハガキ本体１１と、記入欄ａを隠蔽する隠蔽片１２と、隠蔽片１２の片面の略全面に設けられ、隠蔽片１２をハガキ本体１１に再剥離・再貼付可能に擬似接着する粘着剤層１４とを備えている。
隠蔽片１２は、図１（Ａ）に示すように、ハガキ本体１１とは別体に設けられ、略中央にミシン目（折曲線）ｃが形成されている。そして、図１（Ｂ）に示すように、ハガキ本体１１の一辺１１ａに合致するようにミシン目ｃで２つ折りにし、その両面から挟み込むようにして貼り込めば、記入欄ａを隠蔽して、隠蔽ハガキ１０が完成する。なお、宛名は、隠蔽片１２の表面に印字又は記入することができる。
【００１７】
隠蔽片１２は、その表裏面それぞれのサイズが、ハガキ本体１１よりも小さいくしてある。そして、ハガキ本体１２は、「郵便はがき」である旨を記載したハガキ表示部１１ｃを備えている。このため、ハガキ表示部１１ｃは、ハガキ本体１１が隠蔽片１２によって挟み込まれた後も、外部から判読できる［図１（Ｃ）参照］。
【００１８】
次に、第１実施形態の隠蔽ハガキ１０の使用方法を説明する。
まず、表裏面の申込記入欄ａに必要事項を記入する。次いで、隠蔽片１２の剥離紙を剥がし、再剥離粘着剤１４を露出させる。さらに、ハガキ本体１１の端面を隠蔽片１２の中央にあるミシン目ｃに合せて、隠蔽片１２を内側に折り畳む。最後に、この状態で投函する。
【００１９】
第１実施形態によれば、独創的な形態であるので、以下のような種々の効果がある。
（１）簡単な構造で表裏面の大量情報を隠蔽可能で、費用対効果が高い。
（２）多列進行可能であり、製造能力が高い。
（３）ハガキ本体と隠蔽片が別体であるため、用紙の種類（紙質、米坪）について、得意先の広範なニーズに応えられる。
（４）剥離した後の隠蔽片は、２つ折りしてしまえばベタつかないため、廃棄が容易である。
（５）隠蔽片のサイズを工夫すれば、折り工程なしで対応可能である。
【００２０】
（第２実施形態）
図２は、本発明による隠蔽ハガキの第２実施形態を示す模式図である。
第２実施形態の隠蔽ハガキ２０は、隠蔽片１２の片側の保護紙２６を剥がして、ハガキ本体２１の裏面に予め貼り合せたものである。
第２実施形態によれば、ハガキ本体２１の裏面に隠蔽片１２を貼り合わせてあるので、使いやすい。なお、隠蔽片１２は、ハガキ本体２１の表面に貼り合せておいてもよい。
【００２１】
（第３実施形態）
図３は、本発明による隠蔽ハガキの第３実施形態を示す模式図である。
第３実施形態の隠蔽ハガキ３０は、記入欄ａを設けたハガキ本体３１と、記入欄ａを隠蔽する隠蔽片３２と、隠蔽片３２の片面の略全面に設けられ、隠蔽片３２をハガキ本体３１に再剥離・再貼付可能に擬似接着する粘着剤層３４とを備えている。
隠蔽片３２は、ハガキ本体３１の１辺３１ｂに連接され、ハガキ本体３１の両面から挟み込むようにしてある。
【００２２】
次に、第３実施形態の隠蔽ハガキ３０の使用方法を説明する。
まず、図３（Ａ）に示すように、申込書となるハガキ本体３１の表裏面の記入欄ａに必要事項を記入する。この状態で、保護紙３６には、この隠蔽ハガキ３０の使用方法が外側に印刷されているので、見ながら作業することができる。
ついで、図３（Ｂ）に示すように、隠蔽片３２側の保護紙３６を剥がし、再剥離再貼付粘着剤３４を露出させる。
さらに、図３（Ｃ）に示すように、ハガキ本体３１と隠蔽片３２の間のミシン目ｄでハガキ本体３１の記入欄ａを隠蔽するように折り畳んで、貼り合せる。
最後に、図３（Ｄ）に示すように、隠蔽片３２を矢印Ｄのように、裏側へ折り畳み、表裏面の記入欄ａを隠蔽し、この状態で投函する。
【００２３】
第３実施形態によれば、折り返して情報を隠蔽するため、使い方がわかりやすい。また、多列進行可能であり、製造能力が高い。さらに、剥離した後の隠蔽片は、ミシン目で切り離して廃棄可能である。
【００２４】
（第４実施形態）
図４は、本発明による隠蔽ハガキの第４実施形態を示す模式図である。
第４実施形態の隠蔽ハガキ４０は、表面に公開情報が印刷されるハガキ本体４１と、ハガキ本体４１の右辺に連接され、そのハガキ本体４１の表面と同一面に秘匿情報は記入される記入欄ａを設けた記入片４１−２と、ハガキ本体４１の左辺に連接され、記入欄ａを隠蔽する隠蔽片４２と、隠蔽片４２の裏面の略全面に設けられ、その隠蔽片４２を記入片４１−２の表面に再剥離・再貼付可能に擬似接着すると共に、ハガキ本体４１又は記入片４１−２の裏面の略全面に設けられ、記入片４１−２の裏面とハガキ本体４１の裏面とを貼付する粘着剤層４４と、その粘着剤層４４を保護する保護紙４６とを備え、記入片４１−２の両面を、ハガキ本体４１と隠蔽片４２とによって挟み込むようにしたものである。
【００２５】
この隠蔽ハガキ４０は、図４（Ａ）に示すように、表面の申込記入欄ａに必要事項を記入した後に、図４（Ｂ）に示すように、裏返して保護紙４６を剥がし、図４（Ｃ）に示すように、申込記入片４１−２を、ハガキ本体４１の裏側へ折り畳む（矢印Ｃ）。次いで、その上に、隠蔽片４２を同様に折り畳み（矢印Ｄ）、申込記入欄ａを隠蔽し、この状態でポストに投函する。
【００２６】
第４実施形態によれば、以下のような効果がある。
（１）再剥離再貼付粘着剤の塗布面が片面で良く、製造しやすい。
（２）申込記入欄と公開情報欄が同一面に設けられるので、プリンタ印字等で個別情報との紐付けが容易である。
また、ハガキ到着後は、申込前と同じ展開図状態にでき、コピーを取るのが簡単である。
（３）インターフェイスが優れており、わかりやすい。
【００２７】
（第５実施形態）
図５は、本発明による隠蔽ハガキの第５実施形態を示す模式図である。
第５実施形態の隠蔽ハガキ５０は、ハガキ本体５１と、ハガキ本体５１の右側に連接され、隠蔽片５２−１と、ハガキ本体５１の左側に連接された隠蔽片５２−２とを備え、隠蔽片５２−１、５２−２は、それぞれハガキ本体４１の表面と裏面を隠蔽するように、逆向きに配置されている。隠蔽片５２−１、５２−２には、再剥離再貼付粘着剤層が形成され、保護紙５６−１、５６−２が貼り付けられている。
第５実施形態は、表面と裏面を左右の隠蔽片で別々に隠蔽するので、使用方法が分かりやすい。
【００２８】
【発明の効果】
以上詳しく説明したように、本発明によれば、低コストで、わかりやすい形態とすることができた。
【図面の簡単な説明】
【図１】本発明による隠蔽ハガキの第１実施形態を示す模式図である。
【図２】本発明による隠蔽ハガキの第２実施形態を示す模式図である。
【図３】本発明による隠蔽ハガキの第３実施形態を示す模式図である。
【図４】本発明による隠蔽ハガキの第４実施形態を示す模式図である。
【図５】本発明による隠蔽ハガキの第５実施形態を示す模式図である。
【図６】隠蔽ハガキの従来例を示す模式図である。
【符号の説明】
１０　隠蔽ハガキ
１１　ハガキ本体
１２　隠蔽片
１４　粘着剤層
【図１】
2004090325.tif 000003
【図２】
2004090325.tif 000004
【図３】
2004090325.tif 000005
【図４】
2004090325.tif 000006
【図５】
2004090325.tif 000007
【図６】
2004090325.tif 000008